(57)【要約】【課題】可動側金型と固定側金型とを型締めして形成されるキャビティ内に発泡樹脂材料を射出充填した後、可動側金型を後退させて発泡反応を開始させ、所要形状に成形する発泡樹脂成形品並びにその成形方法であって、製品意匠面とアンダーカット部との境界部分での変形を防止して、外観性能の向上及び合わせ精度を高める。【解決手段】ウエストフランジ２３等のアンダーカット部を備えた発泡樹脂成形品（ドアトリム本体）２０を成形する成形方法であって、可動側金型４０の後退操作時、アンダーカット部であるウエストフランジ２３と製品意匠面２０ａとの間の境界部分に変形が生じないように、ウエストフランジ２３の境界部分にソリッド状（非発泡構造）のリブ２４を形成し、可動側金型４０の後退時、ソリッド状のリブ２４を固定側金型５０のリブ形成用凹部５７内に保持して、製品意匠面２０ａの変形を防止する。【選択図】図２
2010184367.tif 000002
【特許請求の範囲】
【請求項１】
可動側金型（４０）と固定側金型（５０）との間に画成されるキャビティ（Ｃ）内に発泡樹脂材料（Ｍ）を射出充填してなり、可動側金型（４０）を後退させて発泡スペースを確保した後、上記発泡樹脂材料（Ｍ）を発泡させることにより所要形状に成形されるとともに、固定側金型（５０）内に配置される直上げコア（５５）によりアンダーカット部（２３）を一体的に形成した発泡樹脂成形品（２０）であって、前記発泡樹脂成形品（２０）における製品意匠面（２０ａ）の端末とアンダーカット部（２３）との境界部分には、非発泡構造体からなるリブ（２４）が設けられていることを特徴とする発泡樹脂成形品。
【請求項２】
可動側金型（４０）と固定側金型（５０）との間に画成されるキャビティ（Ｃ）内に発泡樹脂材料（Ｍ）を射出充填してなり、可動側金型（４０）を後退させて発泡スペースを確保した後、上記発泡樹脂材料（Ｍ）を発泡させることにより所要形状に成形されるとともに、固定側金型（５０）内に配置される直上げコア（５５）によりアンダーカット部（２３）を一体的に形成した発泡樹脂成形品（２０）の成形方法において、
前記可動側金型（４０）と固定側金型（５０）との間に画成されるキャビティ（Ｃ）は、本体部を形成する本体部キャビティ（Ｃ１）と、直上げコア（５５）により形成されるアンダーカット部キャビティ（Ｃ２）とからなるとともに、両者間にリブ形成用凹部（５７）が形成されていることにより、発泡樹脂材料（Ｍ）の射出充填後、可動側金型（４０）を後退操作した際、このリブ形成用凹部（５７）内に充填されるソリッド状のリブ（２４）によりスキン層（２１）が引っ張られることがなく、歪み発生を回避したことを特徴とする発泡樹脂成形品の成形方法。
【発明の詳細な説明】
【技術分野】
【０００１】
この発明は、可動側金型と固定側金型とを型締めした後、発泡樹脂材料をキャビティ内に射出充填し、更に可動側金型を後退させて発泡スペースを確保した後、発泡反応を開始させ、所要形状に発泡成形してなる発泡樹脂成形品並びにその成形方法に係り、特に、少なくとも一部にアンダーカット部が形成された発泡樹脂成形品を対象とし、製品意匠面とアンダーカット部との境界部分での変形を可及的に防止でき、外観性能及び隣接部品に対する合わせ精度を高めた発泡樹脂成形品並びにその成形方法に関する。
【背景技術】
【０００２】
図９は、ドアパネル（図示せず）の室内面側に装着される自動車用ドアトリム１を示すもので、ドアトリム１は、ベースとしてのドアトリム本体２に各種機能部品を装着して構成されている。例えば、ドアトリム本体２の中接部ややフロント側にインサイドハンドルユニット１ａが取り付けられており、ドアトリム本体２の中央に室内側に膨出するアームレスト１ｂが形成され、このアームレスト１ｂの上面にはプルハンドルユニット１ｃやスイッチユニット１ｄが装備されている。また、アームレスト１ｂの下方にはポケット開口１ｅが開設され、その背面側には樹脂成形体からなるポケットバックカバー１ｆが装着されており、ポケット開口１ｅのフロント側には、ドアトリム本体２と一体、あるいは別体にスピーカグリル１ｇが設けられている。
【０００３】
ところで、ドアトリム本体２は、軽量で適度な剛性を維持でき、かつ耐衝撃性に優れ、コストも廉価なことから、ポリプロピレン（ＰＰ）発泡体等の発泡樹脂成形品が多用されている。また、図１０に示すように、ドアトリム本体２は、外表面に位置するスキン層２ａとその内部の発泡層２ｂとから構成されており、図示しないドアインナーシールを取り付けるためにアンダーカット状のウエストフランジ２ｃが一体形成されている。
【０００４】
次に、上記ドアトリム本体２の成形方法について説明する。まず、使用する成形金型３は、図１１，図１２に示すように、可動側金型４と固定側金型５とから大略構成されており、可動側金型４は、昇降シリンダ４ａの駆動により所定ストローク上下動作を行なう。一方固定側金型５には、図示しない射出機から供給される発泡樹脂材料Ｍの通路となるホットランナ５ａ、ゲート５ｂが設けられており、図１１では、可動側金型４と固定側金型５とを型締めした状態を示しており、両金型に画成されるキャビティＣ内に発泡樹脂材料Ｍが射出充填される。また、固定側金型５には以下に示すエジェクタ機構が設けられている。すなわち、エジェクタプレート５ｃにエジェクタピン５ｄが複数本取り付けられており、エジェクタプレート５ｃの昇降動作により成形後のドアトリム本体２を上方に突き出す。
【０００５】
そして、上述したように、ドアトリム本体２にウエストフランジ２ｃを形成するために、直上げコア５ｅがサポートピン５ｆによりエジェクタプレート５ｃに支持されており、図１２に示すように、直上げコア５ｅが型面の一部を構成することで、ドアトリム本体２と一体にウエストフランジ２ｃが成形される。そして、従来のドアトリム本体２の成形方法においては、図１１，図１２に示す発泡樹脂材料Ｍの射出充填後、図１３に示すように、微小ストローク可動側金型４を後退操作して、発泡スペースを確保した状態で発泡樹脂材料Ｍを発泡反応させることにより、所要厚みのドアトリム本体２を最終的に成形するようにしている。尚、アンダーカット部を一体に設ける樹脂成形品の成形方法並びに成形金型の従来例としては特許文献１に示されており、可動側金型を後退操作して発泡樹脂成形品を成形する方法としては特許文献２に詳細に示されている。
【先行技術文献】
【特許文献】
【０００６】
【特許文献１】特開２００８−６７６７号公報
【０００７】
【特許文献２】特開２００２−１２０２５２号公報
【発明の概要】
【発明が解決しようとする課題】
【０００８】
このように、従来の発泡樹脂成形品の一例であるドアトリム本体２の成形方法においては、可動側金型４と固定側金型５との間のキャビティＣ内に発泡樹脂材料Ｍを射出充填して、その後発泡反応を効率的に行なうように、可動側金型４と固定側金型５とのクリアランスを二段階に調整して、発泡反応を完了させることが必要であるが、特に、ウエストフランジ２ｃを設けるために、図１３，図１４に示すように、可動側金型４を後退操作した際、ウエストフランジ２ｃの基部コーナー部におけるスキン層２ａが引っ張られ、図１４中符号ａで示す部位の意匠面が崩れ、外観不良を招くとともに、ドアインナーシールとの合わせ精度に支障をきたす恐れがあり、外観性能並びに合わせ精度を高めることが急務とされていた。
【０００９】
この発明は、このような事情に鑑みてなされたもので、可動側金型と固定側金型とを型締めした後、キャビティ内に発泡樹脂材料を射出充填し、その後、可動側金型を後退させ、発泡スペースを確保した状態で発泡反応を開始し、所要形状の発泡樹脂成形品を発泡成形するとともに、周縁の全長、あるいはその一部にアンダーカット部を設定した発泡樹脂成形品を対象とし、可動側金型を後退操作した際、製品意匠面とアンダーカット部との境界部分での変形を可及的に防止でき、外観見栄えを高めるとともに、隣接部品に対する合わせ精度を向上させた発泡樹脂成形品並びにその成形方法を提供することを目的とする。
【課題を解決するための手段】
【００１０】
上記目的を達成するために本発明者等は、鋭意研究の結果、製品意匠面とアンダーカット部との境界部分にリブを設定することにより、このリブが金型側に嵌まり込み、可動側金型の後退操作時において境界部分が変形することを解消できることに着目し、本発明を完成するに至った。
【００１１】
すなわち、本発明は、可動側金型と固定側金型との間に画成されるキャビティ内に発泡樹脂材料を射出充填してなり、可動側金型を後退させて発泡スペースを確保した後、上記発泡樹脂材料を発泡させることにより所要形状に成形されるとともに、固定側金型内に配置される直上げコアによりアンダーカット部を一体的に形成した発泡樹脂成形品であって、前記発泡樹脂成形品における製品意匠面の端末とアンダーカット部との境界部分には、非発泡構造体からなるリブが設けられていることを特徴とする。
【００１２】
更に、本発明方法は、可動側金型と固定側金型との間に画成されるキャビティ内に発泡樹脂材料を射出充填してなり、可動側金型を後退させて発泡スペースを確保した後、上記発泡樹脂材料を発泡させることにより所要形状に成形されるとともに、固定側金型内に配置される直上げコアによりアンダーカット部を一体的に形成した発泡樹脂成形品の成形方法において、前記可動側金型と固定側金型との間に画成されるキャビティは、本体部を形成する本体部キャビティと、直上げコアにより形成されるアンダーカット部キャビティとからなるとともに、両者間にリブ形成用凹部が形成されていることにより、発泡樹脂材料の射出充填後、可動側金型を後退操作した際、このリブ形成用凹部内に充填されるソリッド状のリブによりスキン層が引っ張られることがなく、歪み発生を回避したことを特徴とする。
【００１３】
ここで、発泡樹脂成形品を成形するために使用する成形金型は、可動側金型と固定側金型とから構成されている。上記可動側金型は、昇降シリンダの動作により型開き位置から型締め位置（下死点）まで型締め動作を行なう。更に、発泡樹脂材料の発泡スペースを確保するために、微小ストローク後退し、その後、型開き位置まで動作する。すなわち、可動側金型は、型開き位置、型締め位置、型開き位置からややクリアランスを確保した発泡位置の三つのポジションをとることになる。一方、固定側金型には、連結する射出機から供給される発泡樹脂材料を可動側金型と固定側金型との間に画成されるキャビティ内に射出充填するための樹脂通路として、ホットランナ、ゲートが設けられている。また、成形後、発泡樹脂成形品を突き出すためのエジェクタピン等のエジェクタ機構が固定側金型に設けられているとともに、アンダーカット部を成形するための直上げコアがエジェクタプレートに支持されている。
【００１４】
そして、本発明においては、可動側金型と固定側金型との間で画成されるキャビティは、製品本体部に対応する本体部キャビティとアンダーカット部に対応するアンダーカット部キャビティとから構成されており、両者の境界部分にリブが形成されるように、固定側金型にリブ形成用凹部が設けられている。このリブの板厚は１．０〜１．５ｍｍに設定されている。ここで、板厚が１．０ｍｍ未満では剛性不足と考えられ、逆に、板厚が１．５ｍｍを超えた場合には発泡反応が生じ、発泡層が内部に形成され、剛性低下を招くため好ましくない。更に、リブの長さ寸法は０．５〜５．０ｍｍに設定されている。必要な長さは、発泡量＋０．５ｍｍ程度とし、製品意匠面に合わせて対応する。発泡量より短くなるとリブが型から抜ける可能性があり、効果が得られない。
【００１５】
次いで、発泡樹脂成形品の素材は、熱可塑性樹脂中に発泡剤が混入されたものを使用する。例えば、使用する熱可塑性樹脂は、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択されて良い。そして、熱可塑性樹脂に対して混入する発泡剤としては、アゾジカルボンアミド等の有機発泡剤、あるいは重炭酸ナトリウム等の無機発泡剤を使用することができる。
【００１６】
以上の構成から明らかなように、可動側金型と固定側金型との型締め動作により画成されるキャビティ内に発泡樹脂材料を射出充填した後、可動側金型を型開き方向に後退操作して、発泡スペースを確保した状態で発泡樹脂材料の発泡反応を開始し、スキン層内に発泡層を備えた発泡樹脂成形品を所要形状に成形することができる。更に、直上げコアが固定側金型に配置されていることにより、アンダーカット部を発泡樹脂成形品と一体に成形することができる。その際、製品の周縁全長、あるいは周縁の一部に形成したアンダーカット部は、製品意匠面とアンダーカット部との間の境界部にリブが形成されており、固定側金型のリブ形成用凹部内に嵌まり込んでいるリブが固まって発泡していないため、可動側金型の型開き時に製品意匠面が引っ張られることがなく、製品意匠面の外観及び表面形状を良好に維持でき、製品意匠面の再現性を向上させるとともに、隣接部品との合わせ精度を高めることができる。
【発明の効果】
【００１７】
以上説明した通り、本発明に係る発泡樹脂成形品並びにその成形方法は、成形金型のキャビティ内に発泡樹脂材料を射出充填した後、可動側金型を後退操作して、所定厚みの発泡スペースを確保して発泡反応を開始させ、スキン層と発泡層とからなる発泡樹脂成形品を所要形状に成形するとともに、アンダーカット部を一体化するというものであり、その際、アンダーカット部と製品意匠面との境界部分にリブが設定されているため、可動側金型の後退操作時、このリブが成形金型に保持されることで、製品意匠面に変形が生じることがなく、外観性能を高めるとともに、隣接部品に対する合わせ精度を良好に維持できるという効果を有する。
【図面の簡単な説明】
【００１８】
【図１】本発明に係る発泡樹脂成形品の一実施例である自動車用ドアトリムを示す正面図である。
【図２】図１中II−II線断面図である。
【図３】図１に示すドアトリム本体を成形する際に使用する成形金型の一実施例の構成を示す概要図である。
【図４】図３に示す成形金型におけるアンダーカット部付近の構成を示す説明図である。
【図５】図１に示すドアトリム本体の成形方法における発泡樹脂材料の射出充填工程を示す説明図である。
【図６】図５に示す発泡樹脂材料の射出充填工程におけるアンダーカット部付近の状態を示す説明図である。
【図７】図１に示すドアトリム本体の成形方法における可動側金型の後退操作時の状態を示す説明図である。
【図８】図７に示す可動側金型の後退操作時におけるアンダーカット部付近の状態を示す説明図である。
【図９】従来の自動車用ドアトリムを示す正面図である。
【図１０】図９中X −X 線断面図である。
【図１１】従来のドアトリム本体の成形方法における発泡樹脂材料の射出充填工程を示す説明図である。
【図１２】従来の発泡樹脂材料の射出充填工程におけるアンダーカット部付近の状態を示す説明図である。
【図１３】従来のドアトリム本体の成形方法における可動側金型の後退操作時の状態を示す説明図である。
【図１４】従来のドアトリム本体の成形方法における可動側金型の後退操作時の不具合を示す説明図である。
【発明を実施するための形態】
【００１９】
以下、本発明に係る発泡樹脂成形品並びにその成形方法の実施例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００２０】
図１乃至図８は本発明の一実施例を示すもので、図１は本発明に係る発泡樹脂成形品の一例を示す自動車用ドアトリムを示す正面図、図２は同自動車用ドアトリムの要部構成を示す部分断面図、図３は本発明方法に使用する成形金型の全体構成を示す概略図、図４は同成形金型におけるアンダーカット部付近の構成を示す説明図、図５乃至図８は本発明方法の各工程を示す説明図である。
【００２１】
図１，図２において、自動車用ドアトリム１０は、ベースとしてのドアトリム本体２０に各種機能部品を装着して構成されている。機能部品の具体例としては、ドアトリム本体２０の中接部ややフロント側にドアの開放時に使用するインサイドハンドルユニット１１が装着されており、ドアトリム本体２０の表面略中央には、アームレスト１２が室内側に膨出状に形成されている。そして、このアームレスト１２の上面には、プルハンドルユニット１３、パワーウインドウスイッチユニット１４が装備されており、アームレスト１２の下方には、ポケット開口１５が開設され、このポケット開口１５の背面側には、合成樹脂の射出成形体からなるポケットバックカバー１６が取り付けられているとともに、ポケット開口１５のフロント側には、ドアトリム本体２０と一体、あるいは別体にスピーカグリル１７が設けられている。
【００２２】
次に、ドアトリム本体２０については、図２に示すように、ソリッド状のスキン層２１内部にセル構造の発泡層２２を含む二層構造になっており、軽量でかつ廉価で、しかも耐衝撃性能に優れた発泡樹脂成形品が使用されている。その素材としては、熱可塑性樹脂中に発泡剤が混入された発泡樹脂成形品であり、使用できる熱可塑性樹脂は、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択して良く、発泡剤としては、アゾジカルボンアミド等の有機発泡剤、あるいは重炭酸ナトリウム等の無機発泡剤を使用することができる。
【００２３】
そして、ドアトリム本体２０は、矢印で占有範囲を示す製品意匠面２０ａの端末側にドアインナーシール（図示せず）を取り付けるためのウエストフランジ２３が設けられており、このウエストフランジ２３は、図２中Ａ矢印で示す成形時の型抜き方向とはアンダーカット状に設定されており、アンダーカット状のウエストフランジ２３と、製品意匠面２０ａの端末との間の境界部分に変形防止用のリブ２４が設定されている。このリブ２４は、ドアトリム本体２０における製品意匠面２０ａの変形を防止し、その再現性を良好に保つために有効に機能する。更に、このリブ２４は、板厚（図中符号Ｗで示す）が１．０〜１．５ｍｍに設定されている。板厚Ｗが１．０ｍｍ未満の場合、剛性不足であるとともに、逆に板厚Ｗが１．５ｍｍを超えた場合、発泡層２２が形成されるため同様に剛性不足となる。
【００２４】
また、リブ２４の長さ寸法（図中符号Ｌで示す）は、０．５〜５．０ｍｍに設定されている。必要長さは、発泡量＋０．５ｍｍ程度であり、発泡量が０．１〜１．５ｍｍに設定されるため、製品意匠面２０ａに合わせて対応する。発泡量より短くなるとリブ２４が型から抜ける可能性があり効果が得られない。
【００２５】
次いで、図３，図４を基に上記ドアトリム本体２０を成形する際に使用する成形金型３０の概略構成について説明する。成形金型３０は、可動側金型４０と固定側金型５０とから大略構成されている。更に詳しくは、可動側金型４０は、昇降シリンダ４１に連結支持され、昇降シリンダ４１の駆動により、可動側金型４０は所定ストローク上下動作を行なう。
【００２６】
一方、可動側金型４０の下方に位置する固定側金型５０には、図示しない射出機から供給される発泡樹脂材料Ｍの通路となるホットランナ５１、ゲート５２が設けられており、可動側金型４０と固定側金型５０との間で画成されるキャビティＣ内に発泡樹脂材料Ｍが射出充填されることになる。更に、固定側金型５０には、エジェクタ機構として、エジェクタプレート５３にエジェクタピン５４が連結され、エジェクタピン５４により、発泡樹脂成形品であるドアトリム本体２０が上方に突き出される。また、エジェクタプレート５３には、直上げコア５５がサポートピン５６を介して連結されており、この直上げコア５５は、ドアトリム本体２０にアンダーカット状となるウエストフランジ２３を形成するために設定されている。
【００２７】
そして、図４に示すように、直上げコア５５が固定側金型５０に配置されることで、キャビティＣは、本体部キャビティＣ１に対してウエストフランジ２３を成形するためのアンダーカット部キャビティＣ２を連通させたキャビティ形状に設定され、このアンダーカット部キャビティＣ２の本体側寄り端末にこれと連接するリブ形成用凹部５７が形成されている。このリブ形成用凹部５７の寸法は、図２で示すリブ２４の幅寸法（板厚）Ｗ、長さ寸法Ｌに対応するように設定されている。
【００２８】
次に、図５乃至図８に基づいて、上述した構成の成形金型３０を使用してドアトリム本体２０を成形する成形方法について順次説明する。まず、図５，図６は、可動側金型４０が下死点まで下降した型締め状態を示しており、可動側金型４０と固定側金型５０とで画成されるキャビティＣ内に発泡樹脂材料Ｍがホットランナ５１、ゲート５２を通じて射出充填される。そして、図６に示すように、本体部キャビティＣ１とアンダーカット部キャビティＣ２に発泡樹脂材料Ｍが射出充填されるとともに、アンダーカット部キャビティＣ２の端末側に設定されているリブ形成用凹部５７についても、発泡樹脂材料Ｍが充填される。この部位については、厚み及び長さの関係で発泡樹脂材料Ｍはソリッド状である。
【００２９】
次いで、発泡樹脂材料Ｍの射出充填工程が完了すれば、図７，図８に示すように、可動側金型４０が発泡樹脂材料Ｍの発泡量に応じて微小ストローク後退するが、この時、ウエストフランジ２３の基部についてはリブ２４がリブ形成用凹部５７内にソリッド体が嵌まり込んでおり、この部位が固定側金型５０に保持されるため、可動側金型４０が図８中Ｂ矢印方向に可動しても、コーナー部分が引っ張られることがなく、境界部において従来生じていた成形歪みが生じることがない。従って、ドアトリム本体２０に設ける製品意匠面２０ａの再現性が良好なものとなり、外観性能を高めることができるとともに、ドアインナーシールとの合わせ精度も良好なものとなる。
【００３０】
尚、この実施例においては、ドアトリム本体２０にアンダーカット状となるウエストフランジ２３を形成する際、ウエストフランジ２３の本体側寄りの端末にリブ２４を形成したが、ドアトリム本体２０における製品意匠面２０ａの端末であって、アンダーカット部となるものであれば、例えば、クリップ取付座等に適用することもできる。
【産業上の利用可能性】
【００３１】
以上説明した実施例は、ドアパネルの室内面側に装着されるドアトリム１０におけるドアトリム本体２０に適用したが、用途はこれに限定されることなく、製品意匠面の端末にアンダーカット部を形成した発泡樹脂成形品全般に適用することができる。更に、成形金型３０の構造として、可動側金型４０側にコア部、固定側金型５０側にキャビティ部を設定することもできる。更に、発泡樹脂材料Ｍの射出充填時、キャビティ内に圧空エアを供給するカウンタープレッシャー工法を採用することも可能である。
【符号の説明】
【００３２】
１０  自動車用ドアトリム
２０  ドアトリム本体
２１  スキン層
２２  発泡層
２３  ウエストフランジ
２４  リブ
３０  成形金型
４０  可動側金型
４１  昇降シリンダ
５０  固定側金型
５１  ホットランナ
５２  ゲート
５３  エジェクタプレート
５４  エジェクタピン
５５  直上げコア
５６  サポートピン
５７  リブ形成用凹部
Ｃ  キャビティ
Ｃ１  本体部キャビティ
Ｃ２  アンダーカット部キャビティ
Ｍ  発泡樹脂材料
【図１】
2010184367.tif 000003
【図２】
2010184367.tif 000004
【図３】
2010184367.tif 000005
【図４】
2010184367.tif 000006
【図５】
2010184367.tif 000007
【図６】
2010184367.tif 000008
【図７】
2010184367.tif 000009
【図８】
2010184367.tif 000010
【図９】
2010184367.tif 000011
【図１０】
2010184367.tif 000012
【図１１】
2010184367.tif 000013
【図１２】
2010184367.tif 000014
【図１３】
2010184367.tif 000015
【図１４】
2010184367.tif 000016